(57)【要約】【課題】  安価でセキュリティ性の高い自動販売機、及び該自動販売機の販売制限システムを提供する。【解決手段】  所定の条件を満たした利用者に対してのみ、販売停止状態を解除して商品の販売を行う自動販売機１において、利用者が所持する携帯電話２６からＱＲコードとして解除コードを取得するＱＲコード読取部１１と、利用者から装置に対してＩＤコードが入力される際に操作されるキー入力部１２と、解除コードとＩＤコードを組み合わせて作った組み合わせパターンを記憶する組み合わせパターン格納エリアと、ＱＲコード読取部１１が携帯電話２６からＱＲコードとして取得した解除コードと、キー入力部１２から入力されたＩＤコードとを組み合わせた組み合わせパターンと同一の組み合わせパターンが組み合わせパターン記憶エリアに記憶されているか否かを判断し、同一の組み合わせパターンが記憶されていると判断すると、商品の販売を許可し、販売停止状態を解除する主制御部とを備える。【選択図】        図１
2007087290.tif 000002
【特許請求の範囲】
【請求項１】
所定の条件を満たした利用者に対してのみ、販売停止状態を解除して商品の販売を行う自動販売機において、
利用者が所持する端末装置から解除コードを取得するデータ取得部と、
利用者から装置に対してＩＤコードが入力される際に操作される入力部と、
解除コードとＩＤコードを組み合わせて作った組み合わせパターンを記憶する組み合わせパターン記憶部と、
前記データ取得部が前記端末装置から取得した解除コードと、前記入力部から入力されたＩＤコードとを組み合わせた組み合わせパターンと同一の組み合わせパターンが前記パターン記憶部に記憶されているか否かを判断し、同一の組み合わせパターンが記憶されていると判断すると、商品の販売を許可し、販売停止状態を解除する制御手段とを備えたことを特徴とする自動販売機。
【請求項２】
前記解除コードは、ＱＲコードとして前記端末装置に表示され、
前記データ取得部は、前記ＱＲコードを読み取ることで、前記端末装置から前記解除コードを取得する請求項１記載の自動販売機。
【請求項３】
前記解除コードは、赤外通信により前記端末装置から発信され、
前記データ取得部は赤外通信により送信されてくる前記解除コードを受信することで、前記端末装置から前記解除コードを取得する請求項１記載の自動販売機。
【請求項４】
商品の販売を許可する利用者に与えられた解除コードを記憶する記憶部と、前記解除コードを表示する表示部とを備えた端末装置と、
前記解除コードを読み取るデータ取得部と、利用者から装置に対してＩＤコードが入力される際に操作される入力部と、解除コードとＩＤコードを組み合わせて作った組み合わせパターンを記憶する組み合わせパターン記憶部と、前記データ取得部が前記端末装置から読み取った解除コードと、前記入力部から入力されたＩＤコードとを組み合わせた組み合わせパターンと同一の組み合わせパターンが前記パターン記憶部に記憶されているか否かを判断し、同一の組み合わせパターンが記憶されていると判断すると、商品の販売を許可し、販売停止状態を解除する制御手段とを備えた自動販売機とから構成され、
前記端末装置は、前記記憶部に記憶した解除コードを前記表示部に表示し、
前記自動販売機は、前記データ取得部が、前記端末装置の前記表示部に表示された前記解除コードを読み取り、且つ前記入力部からＩＤコードが入力されると、前記制御手段が、前記データ取得部が前記端末装置から読み取った解除コードと、前記入力部から入力されたＩＤコードとを組み合わせた組み合わせパターンと同一の組み合わせパターンが前記パターン記憶部に記憶されているか否かを判断し、同一の組み合わせパターンが記憶されていると判断すると、商品の販売を許可し、販売停止状態を解除する自動販売機の販売制限システム。
【請求項５】
商品の販売を許可する利用者に与えられた解除コードを記憶する記憶部と、前記解除コードを発信するデータ発信部とを備えた端末装置と、
前記解除コードを受信するデータ取得部と、利用者から装置に対してＩＤコードが入力される際に操作される入力部と、解除コードとＩＤコードを組み合わせて作った組み合わせパターンを記憶する組み合わせパターン記憶部と、前記データ取得部が前記端末装置から受信した解除コードと、前記入力部から入力されたＩＤコードとを組み合わせた組み合わせパターンと同一の組み合わせパターンが前記パターン記憶部に記憶されているか否かを判断し、同一の組み合わせパターンが記憶されていると判断すると、商品の販売を許可し、販売停止状態を解除する制御手段とを備えた自動販売機とから構成され、
前記端末装置は、前記記憶部に記憶した解除コードを前記データ発信部から発信し、
前記自動販売機は、前記データ取得部が、前記端末装置から前記解除コードを受信し、且つ前記入力部からＩＤコードが入力されると、前記制御手段が、前記データ取得部が前記端末装置から受信した解除コードと、前記入力部から入力されたＩＤコードとを組み合わせた組み合わせパターンと同一の組み合わせパターンが前記パターン記憶部に記憶されているか否かを判断し、同一の組み合わせパターンが記憶されていると判断すると、商品の販売を許可し、販売停止状態を解除する自動販売機の販売制限システム。
【発明の詳細な説明】
【技術分野】
【０００１】
本発明は、所定の条件を満たした利用者に対してのみ、販売停止状態を解除して商品の販売を行う自動販売機、及び該自動販売機の販売制限システムに関する。
【背景技術】
【０００２】
従来、アルコール飲料、タバコ等の年齢制限を有する商品を取扱う自動販売機においては、所定の年齢に達している利用者に対してのみ商品の販売を行う機能を備えている装置がある。以下、このような自動販売機の販売制限システムについて説明する。
この販売制限システムは、自動販売機と、携帯電話と、管理サーバと、利用者認証サーバとから構成される。管理サーバは携帯電話の通信を管理し、利用者毎の携帯電話の電話番号を基準に、名前、住所、生年月日、性別、口座番号等の各種情報を関連付けたテーブルＡを有する。利用者認証サーバは利用者の年齢を判別するものであり、電話番号と年齢情報を含む個人識別情報とを関連付けたテーブルＢを有する。そして携帯電話と利用者認証サーバとは、管理サーバを介して通信を行う。また、自動販売機、管理サーバ、携帯電話、利用者認証サーバは通信回線により通信接続されている。
【０００３】
利用者が個人識別情報を取得するとき、利用者は、携帯電話から利用者認証サーバへアクセスを行う。このとき、管理サーバは、携帯電話および利用者認証サーバの間の通信を仲介しており、この利用者の電話番号および生年月日の情報を利用者認証サーバに送信する。利用者認証サーバは、利用者が生年月日の情報から成人であるものと判別すると、この電話番号および生年月日の情報を特別の演算処理で暗号化して個人識別情報を作成し、携帯電話に返信する。これにより、利用者は、年齢制限を有する商品を購入するための個人識別情報を取得する。
【０００４】
次に利用者が年齢制限を有する商品を購入するとき、携帯電話から通信回線を介して利用者認証サーバへアクセスして自動販売機識別情報を入力する。このとき、管理サーバは、自動販売機識別情報および利用者の電話番号を利用者認証サーバに送信する。利用者認証サーバは、テーブルＢを参照して、自動販売機識別情報と電話番号に対応する個人識別情報とを保持する。一方、利用者は、自動販売機に硬貨投入または紙幣挿入を行った後に、自動販売機に設けられたキー入力部から取得済みの個人識別情報を操作入力する。
【０００５】
自動販売機は、主制御部内のＲＯＭに記憶済みの自動販売機識別情報と、キー入力部からの個人識別情報とを、利用者認証サーバに送信する。利用者認証サーバは、自動販売機および携帯電話からの自動販売機識別情報の一致を確認してから、自動販売機からの個人識別情報と管理サーバのテーブルＢからの個人識別情報とを照合する。
そして、利用者認証サーバは、双方の個人識別情報が一致するものと判別したとき、自動販売機に販売許可信号を送信する。自動販売機は、販売許可信号に従って商品選択釦の販売可ランプを点灯させる。一方、利用者認証サーバは、双方の個人識別情報が一致しないものと判別したとき、自動販売機に販売禁止信号を送信する。自動販売機は、販売禁止信号に従って金銭を返却したりする（例えば、特許文献１参照。）。
【特許文献１】特開２００２−１５０３７０号公報
【発明の開示】
【発明が解決しようとする課題】
【０００６】
上記従来の自動販売機の販売制限システムにおいては、通信回線を利用してデータの送信を行うので、年齢制限を設けた商品を自動販売機から購入する毎に、利用者は携帯電話の通信費を負担しなければならず、コスト高となってしまうという問題点があった。また、情報が汎用の通信回線を介して送受信されることにより、個人情報が第三者に漏洩する可能性があり、セキュリティ面での問題点があった。
【課題を解決するための手段】
【０００７】
上記課題を解決するために本発明で設けた解決手段は、所定の条件を満たした利用者に対してのみ、販売停止状態を解除して商品の販売を行う自動販売機において、利用者が所持する端末装置から解除コードを取得するデータ取得部と、利用者から装置に対してＩＤコードが入力される際に操作される入力部と、解除コードとＩＤコードを組み合わせて作った組み合わせパターンを記憶する組み合わせパターン記憶部と、前記データ取得部が前記端末装置から取得した解除コードと、前記入力部から入力されたＩＤコードとを組み合わせた組み合わせパターンと同一の組み合わせパターンが前記パターン記憶部に記憶されているか否かを判断し、同一の組み合わせパターンが記憶されていると判断すると、商品の販売を許可し、販売停止状態を解除する制御手段とを備えたものである。
【発明の効果】
【０００８】
本発明によれば、データ取得部が端末装置から取得した解除コードと、入力部から入力されたＩＤコードとを組み合わせた組み合わせパターンと同一の組み合わせパターンがパターン記憶部に記憶されていれば、商品の販売を許可し、販売停止状態を解除することにより、商品の販売を許可するか否かの判断のために通信回線を利用してデータの送信を行うことがないので、利用客が端末装置として、例えば携帯電話を利用した場合に該携帯電話の通信費を負担する必要が無く、年齢制限を設けた商品を自動販売機から購入することができる。また、情報が汎用の通信回線を介して送受信されることが無いので、個人情報が第三者に漏洩することを防ぐことができる。その結果、安価でセキュリティ性の高い自動販売機を提供することができる。
【発明を実施するための最良の形態】
【０００９】
以下、本発明の実施例を図面に従って説明する。なお各図面に共通する要素には同一の符号を付す。
【実施例１】
【００１０】
図１は実施例１の自動販売機の販売制限システムを示す説明図、図２は実施例１の自動販売機の制御系を示すブロック図である。
始めに自動販売機の構成について説明する。
図１、図２において、自動販売機１は、アルコール飲料、タバコ等の年齢制限を有する商品を取扱うものであり、所定の条件（本実施例においては年齢が２０歳に達している）を満たした利用客に対してのみ商品を販売する機能を備えている。
【００１１】
自動販売機１は、一部が透明なパネル２に覆われており、該パネル２の内側には、自動販売機１で取扱っている商品サンプル３が保持されている。各商品サンプル３の下部にはそれぞれ商品選択ボタン４が設けられており、この商品選択ボタン４の内部には販売可ランプ、販売不可ランプ、及び売り切れランプが内蔵されている。
販売可ランプは利用者が商品の販売を許可する者であると判別され、且つ自動販売機１内部の図示せぬ商品収納部に商品が収容されている場合のみ、この商品に対応するランプが点灯する。販売不可ランプは利用者が商品の購入を希望しても商品を販売することができない場合に点灯する。売り切れランプは自動販売機１内部に設けられた商品を商品別に収納する商品収納部２４が空になると、この空になった商品に対応するランプが常時点灯する。
【００１２】
自動販売機１にはまた、利用者が硬貨を投入する硬貨投入口５と、紙幣を挿入する紙幣挿入口６と、返却レバー７と、返却口８が設けられている。そして硬貨投入口５から投入された硬貨は自動販売機１内部の硬貨処理部２２へと供給され、紙幣挿入口６から挿入された紙幣は自動販売機１内部の紙幣処理部２３へと搬送される。返却レバー７は利用者により操作され、硬貨投入後であって、且つ商品購入前に操作されると、投入硬貨を返却口８から利用者へと返却する。また返却レバー７が商品購入後に操作されると、釣銭を返却口８から利用客へと返却する。
【００１３】
自動販売機１には更に、表示部９と、商品取出口１０が設けられている。表示部９は投入硬貨金額、挿入紙幣金額等を表示し、商品取出口１０は商品収納部２４と接続されており、利用者に対して購入された商品を排出する。
自動販売機１にはまた、２次元コードの一種であるＱＲコード（登録商標）を読み取るＱＲコード読取部１１と、キー入力部１２が設けられている。データ取得部であるＱＲコード読取部１１は、端末装置である携帯端末（本実施例では携帯電話とする）の後述する表示部に表示されるＱＲコードの画像を読み取る。キー入力部１２は利用者によるＩＤコード等の入力が行われる際に操作される。
【００１４】
次に携帯電話２６について説明する。図１において、携帯電話２６には、表示部２７と、アンテナ２９と、図示せぬ入力部と、図示せぬ記憶部と、図示せぬ主制御部が設けられている。なお、前記記憶部には前記解除コードが格納される。そして主制御部は前記解除コードをＱＲコードとして生成する図示せぬＱＲコード生成手段を備え、記憶部から解除コードを読み出し、該解除コードを前記ＱＲコード生成手段によりＱＲコードとして生成し、表示部２７に表示させる。そして利用者が表示部２７に表示されたＱＲコードの画像を自動販売機１のＱＲコード読取部１１に向けることでＱＲコードはＱＲコード読取部１１に読み取られる。
【００１５】
次に本実施例における自動販売機１の制御系について説明する。
図２において、自動販売機１にはＣＰＵ、メモリ、周辺回路を内蔵し、自動販売機１全体を制御する主制御部１３が設けられている。そしてこの主制御部１３には、硬貨処理部２２を制御する硬貨処理制御部１４と、紙幣処理部２３を制御する紙幣処理制御部１５と、表示部９と、商品選択ボタン４を制御する接客制御部１６と、商品を商品収納部２４から繰り出し、商品取出口１０へと排出させる制御を行う販売制御部１７と、携帯電話２６の表示部２７に表示されたＱＲコードを読み取るＱＲコード読取部１１を制御するＱＲコード読取制御部１８と、キー入力部１２を制御する入力制御部１９とが接続されており、該入力制御部１９は主制御部１３の従属制御部に相当する。なお、ＱＲコード読取部１１はＱＲコードを読み取ると、ＱＲコード読取制御部１８に該読み取ったＱＲコードを送信する。そしてＱＲコード読取制御部１８は受信したＱＲコードに記憶された情報を認識して所定のデータに変換し、解除コードとして主制御部１３に送信する。
【００１６】
また主制御部１３には、解除データ格納エリア２０と、ＩＤコード格納エリア２１と、組み合わせパターン記憶部である組み合わせパターン格納エリア２５が設けられている。解除データ格納エリア２０には、商品の販売を可とする利用者の携帯電話２６に格納されている、予め決められた解除コードが複数格納されている。そして自動販売機１が利用者の携帯電話２６から解除コードを取得すると、主制御部１３は該取得した解除コードと同一の解除コードが解除データ格納エリア２０に格納されているか否かの判断を行う。またＩＤコード格納エリア２１には、商品の販売を可とする利用者に付与される、予め決められたＩＤコードが複数格納されている。そして主制御部１３は自動販売機１に対してＩＤコードが入力されると、該入力されたＩＤコードと同一のＩＤコードがＩＤコード格納エリア２１に格納されているか否かの判断を行う。
【００１７】
解除コードとＩＤコードは自動販売機１の管理者により１対１での組み合わせが複数既決されている。そして組み合わせパターン格納エリア２５にはこの解除コードとＩＤコードとを組み合わせて作った複数対の組み合わせパターンが格納されている。主制御部１３は利用者の携帯電話２６から取得した解除コードと、該利用者により自動販売機１に対して入力されたＩＤコードが、それぞれ自動販売機１の解除データ格納エリア２０と、ＩＤコード格納エリア２１に格納されていても、上記組み合わせパターン格納エリア２５に格納されている組み合わせのパターンの中に前記利用者の携帯電話２６から取得した解除コードと、該利用者により自動販売機１に対して入力されたＩＤコードとを組み合わせたパターンと一致する組み合わせのパターンが無い場合には無効と判断し、商品の販売を不可とする。すなわち利用者の携帯電話２６から取得した解除コードと、該利用者により自動販売機１に対して入力されたＩＤコードの組み合わせが、予め決められた組み合わせのパターンであった場合にのみ、商品の販売を可と判断する。そして上記自動販売機１と携帯電話２６とにより自動販売機の販売制限システム２８が構成されている。
【００１８】
次に上記構成における自動販売機１において、販売制限のある商品、例えばアルコール飲料を利用者に販売する場合の動作について図１、図２を参照し、図３、図４に示すフローチャートに従って説明する。図３、図４は実施例１の自動販売機の販売動作を示すフローチャートである。なお、自動販売機１は通常、商品の販売を行わない販売停止状態となっており、また商品収納部２４に収納されていない商品については売り切れランプが常時点灯している。
【００１９】
事前に利用者は年齢制限に問題が無い旨の登録を行っておく。そのため、自動販売機１の管理者が年齢制限に問題が無いと確認した利用者に対して解除コードと、それと対となるＩＤコードを付与する。なお、解除コードは利用者の携帯端末（本実施例では携帯電話２６とする）の図示せぬ記憶部に格納され、携帯電話２６の表示部２７にＱＲコードとして表示される。またＩＤコードは利用者が記憶する。これにより、利用者は、所定の条件を満たした利用者に対してのみ、販売停止状態を解除して商品の販売を行う自動販売機１で商品を購入することが可能となる。
【００２０】
利用者が自動販売機１でアルコール飲料を購入する場合、携帯電話２６に対して解除コードを表示部２７に表示させる指示を入力する。この指示を受けて携帯電話２６の主制御部は予め携帯電話２６の図示せぬ記憶部に記憶した解除コードを読み出し、ＱＲコード生成手段により該解除コードをＱＲコードとして生成し、表示部２７に表示させる。次に利用者は画像として表示されているＱＲコードをＱＲコード読取部１１に向け、該ＱＲコード読取部１１にＱＲコードを読み取らせる。ＱＲコード読取部１１はＱＲコードを読み取ると、ＱＲコード読取制御部１８に該読み取ったＱＲコードを送信する。そしてＱＲコード読取制御部１８は受信したＱＲコードに記憶された情報を認識して所定のデータに変換し、解除コードとして主制御部１３に送信する。
【００２１】
主制御部１３が解除コードを受信すると、該解除コードを図示せぬ記憶部に記憶すると共に図３、図４に示すフローチャートが開始され、ステップＳ１の解除コードの受信待ち状態からステップＳ２へと進む。
ステップＳ２で主制御部１３は受信した解除コードと同一の解除コードが解除データ格納エリア２０に格納されているか否かの判断を行う。ここで、同一の解除コードが解除データ格納エリア２０に格納されていると判断するとステップＳ３へと進み、一方「否」の場合にはステップＳ１５へと進む。ステップＳ３へと進んだ場合、主制御部１３は接客制御部１６、及び入力制御部１９に対してＩＤコードの入力要求を示すデータを送信する。そして主制御部１３はステップＳ４へと進み、ＩＤコードの受信待ち状態へと移行する。
【００２２】
接客制御部１６は主制御部１３からＩＤコードの入力要求を示すデータを受信すると、表示部９にＩＤコードの入力要求を表示させる。一方、入力制御部１９は主制御部１３からＩＤコードの入力要求を示すデータを受信すると、キー入力部１２に設けられた図示せぬランプを点滅させる。これにより顧客にＩＤコードの入力要求を知らせる。
ＩＤコードの入力を要求された利用者はキー入力部１２から解除コード入手と同時に付与されたＩＤコードを入力する。そして入力制御部１９はキー入力部１２から入力されたＩＤコードを主制御部１３に送信する。主制御部１３はＩＤコードを受信するとステップＳ４のＩＤコード受信待ち状態からステップＳ５へと進む。
【００２３】
ステップＳ５で主制御部１３は受信したＩＤコードと同一のＩＤコードがＩＤコード格納エリア２１に格納されているか否かの判断を行う。ここで、同一のＩＤコードがＩＤコード格納エリア２１に格納されていると判断すると、ステップＳ６へと進み、一方「否」の場合にはステップＳ１５へと進む。ステップＳ６へと進んだ場合、主制御部１３は取得した解除コードと入力されたＩＤコードの組み合わせのパターンと同一の組み合わせパターンが、組み合わせパターン格納エリア２５に格納されているか否かを判断する。
【００２４】
ここで、主制御部１３が同一の組み合わせのパターンが組み合わせパターン格納エリア２５に格納されている判断するとステップＳ７へと進み、一方「否」の場合にはステップＳ１５へと進む。
ステップＳ７へと進んだ場合、主制御部１３は商品の販売停止状態を解除すると共に、接客制御部１６に対して商品収納部に商品が収納されておらず、売り切れランプが点灯しているものを除き、商品選択ボタン４の販売可ランプを点灯（販売可表示）させることを示すデータを送信する。接客制御部１６は主制御部１３から商品選択ボタン４の販売可ランプを点灯（販売可表示）させることを示すデータを受信すると、該データに基づき商品選択ボタン４の販売可ランプを点灯させることを指示された商品（商品収納部２４に商品が収納されていない商品を除く）に対応するランプのみ販売可ランプを点灯させる。これにより、利用者に対して販売停止状態を解除した旨を知らせることができる。そしてステップＳ８へと進み、主制御部１３は硬貨、あるいは紙幣が入金されるのを待つ状態へと移行する。
【００２５】
商品の購入を許可された利用者は硬貨を硬貨投入口５から投入する、あるいは紙幣を紙幣挿入口６から挿入する。この硬貨の投入、あるいは紙幣の挿入を硬貨処理部２２、あるいは紙幣処理部２３を介して硬貨処理制御部１４、あるいは紙幣処理制御部１５が認識すると、主制御部１３に対して硬貨が投入されたことを示すデータ、あるいは紙幣が挿入されたことを示すデータを送信する。主制御部１３はこれを受けてステップＳ８からステップＳ９へと進み、入金処理を行う。硬貨が投入された場合には硬貨は硬貨処理部２２へと供給され、硬貨処理制御部１４の制御により真偽判別、金種の確認、計数等の鑑別処理が行われる。また紙幣が挿入された場合には紙幣は紙幣処理部２３へと搬送され、紙幣処理制御部１５の制御により真偽判別、金種の確認、計数等の鑑別処理が行われる。そして硬貨処理制御部１４、紙幣処理制御部１５から主制御部１３に対して入金された金額が送信される。主制御部１３は硬貨処理制御部１４、あるいは紙幣処理制御部１５から入金された金額を受信すると表示部９に入金合計金額を表示させて利用客に知らせる。
【００２６】
また主制御部１３は入金された硬貨、あるいは紙幣の金額が、収納されている商品別の金額に到達する毎に、販売可能となる商品を認識する。このような入金処理を開始すると続けてステップＳ１０へと進み、主制御部１３は商品選択ボタン４が押下されるのを待つ状態となる。
利用客がいずれかの商品選択ボタン４を押下すると、ステップＳ１０からステップＳ１１へと進み、主制御部１３は利用客が押下した商品選択ボタン４に対応する商品の金額と、入金された金額との確認を行った後、販売制御部１７に対して商品を商品収納部２４から繰り出し、商品取出口１０へと排出させる制御を行わせる。これにより商品が商品収納部２４から商品取出口１０に搬出される。そしてステップＳ１２へと進み、主制御部１３はステップＳ９で計数した金額から、購入された商品の金額を引算し、釣銭があるか否かを判断する。ここで釣銭があると判断した場合にはステップＳ１３へと進み、一方「否」の場合にはステップＳ１４へと進む。
【００２７】
ステップＳ１３へと進んだ場合、主制御部１３は硬貨処理制御部１４、及び紙幣処理制御部１５に対して、ステップＳ１２で算出した釣銭金額分の硬貨、及び紙幣を、硬貨処理部２２、及び紙幣処理部２３から繰り出させる制御を行わせる。そして釣銭を返却口８、及び紙幣挿入口６から利用客へと返却する。そしてステップＳ１４へと進む。
ステップＳ１４へと進むと、主制御部１３は商品の販売を行わない販売停止状態へと戻り、商品選択ボタン４の販売可ランプの点灯を停止する。そして主制御部１３はこれで今回の販売動作を終了とする。
【００２８】
なお、上記ステップＳ９での入金処理後、利用客が返却レバー７を操作し、主制御部１３が返却レバー７が操作されたことを認識すると、硬貨処理制御部１４、及び紙幣処理制御部１５に対して、投入された硬貨、あるいは挿入された紙幣を利用客へと返却する指示を出す。この指示を受けて硬貨処理部２２は投入された硬貨を返却口８から利用客へと返却し、紙幣処理部２３は挿入された紙幣を紙幣挿入口６から利用客へと返却する。そして主制御部１３はステップＳ１４へと進む。
【００２９】
一方、ステップＳ２、ステップＳ５、ステップＳ６からステップＳ１５へと進んだ場合、主制御部１３は接客制御部１６に対して商品選択ボタン４の販売不可ランプを点灯（販売不可表示）させることを示すデータを送信する。接客制御部１６は主制御部１３から商品選択ボタン４の販売不可ランプを点灯（販売不可表示）させることを示すデータを受信すると、商品選択ボタン４の販売不可ランプを点灯させる。これにより、利用者に対して商品の販売停止状態を解除できず、商品の販売を行うことができない旨を知らせることができる。そして主制御部１３は所定時間経過後、商品選択ボタン４の販売不可ランプの点灯を停止し、今回の販売動作を終了する。
【００３０】
以上本発明の実施例１においては、ＱＲコード読取部１１が携帯端末からＱＲコードとして取得した解除コードと、キー入力部１２から入力されたＩＤコードとを組み合わせた組み合わせパターンと同一の組み合わせパターンが組み合わせパターン格納エリア２５に記憶されていれば、商品の販売を許可し、販売停止状態を解除することにより、商品の販売を許可するか否かの判断のために通信回線を利用してデータの送信を行うことがないので、利用客が携帯端末として、例えば携帯電話を利用した場合に該携帯電話の通信費を負担する必要が無く、年齢制限を設けた商品を自動販売機から購入することができる。また、情報が汎用の通信回線を介して送受信されることが無いので、個人情報が第三者に漏洩することを防ぐことができる。その結果、安価でセキュリティ性の高い自動販売機を提供することができる。
【実施例２】
【００３１】
次に本発明の実施例２について説明する。なお、上記実施例１と同様な箇所には同一符号を付して説明は省略する。図５は実施例２の自動販売機の販売制限システムを示す説明図、図６は実施例２の自動販売機の制御系を示すブロック図である。
図５、図６において、本実施例２の自動販売機３１が上記実施例１の自動販売機１と異なる点は、実施例１では解除コードをＱＲコードで表し携帯電話２６の表示部２７に表示させ、自動販売機１に読み取らせたが、実施例２では解除コードを赤外通信で携帯電話から自動販売機に送信することとした点である。
【００３２】
詳しくは、自動販売機３１には、実施例１の自動販売機１に設けられているＱＲコード読取部１１の代わりにデータ取得部である赤外通信部４１が設けられており、また、主制御部１３にはＱＲコード読取制御部１８の代わりに赤外通信読取制御部４８が接続されている。
一方、携帯電話５６にはデータ発信部である赤外通信部５９が設けられており、携帯電話５６は自動販売機３１に対して解除コードを赤外送信する。そして、利用者が所持する携帯電話５６から自動販売機３１に対して解除コードが赤外送信されると、該解除コードを赤外通信部４１が受信し、赤外線通信読取制御部４８に解除コードを送信する。そして赤外通信読取制御部４８がその解除コードを認識してデータに変換し、主制御部１３に送信する。
【００３３】
なお、その他の構成は上記実施例１と同様であるので説明は省略する。
次に上記構成における自動販売機３１において、販売制限のある商品、例えばアルコール飲料を利用者に販売する場合の動作について説明する。
事前に利用者は年齢制限に問題が無い旨の登録を行っておく。そのため、自動販売機３１の管理者が年齢制限に問題が無いと確認した利用者に対して赤外通信が可能な解除コードと、それと対となるＩＤコードを付与する。なお、解除コードは利用者の携帯電話５６の図示せぬ記憶部に格納され、ＩＤコードは利用者が記憶する。これにより、利用者は、所定の条件を満たした利用者に対してのみ、販売停止状態を解除して商品の販売を行う自動販売機３１で商品を購入することが可能となる。
【００３４】
利用者が自動販売機３１でアルコール飲料を購入する場合、携帯電話５６に対して解除コードを自動販売機３１に送信する指示を入力する。この指示を受けて携帯電話５６の主制御部は予め携帯電話５６の図示せぬ記憶部に記憶した解除コードを読み出し、該解除コードを赤外通信部５９から自動販売機３１の赤外通信部４１に対して送信する。赤外通信部４１は解除コードを受信すると、赤外通信読取制御部４８に該解除コードを送信する。そして赤外通信読取制御部４８が受信した解除コードを認識して所定のデータに変換し、主制御部１３に送信する。主制御部１３が解除コードを受信すると、実施例１と同様に図３、図４に示すフローチャートと同様の処理が開始されるので、これ以降の動作の説明は省略する。
【００３５】
以上本発明の実施例２においては、実施例１の効果に加えて更に、解除コードを赤外通信により携帯端末から発信することにより、自動販売機が携帯端末から解除コードをＱＲコードで取得する実施例１に比べて更に、より広範囲の携帯端末での利用が可能となる。
また、上記実施例１、及び実施例２においては、解除コードの記憶に携帯電話等の携帯端末を利用したが、代わりにプリペイドカードに解除コードを記憶させても良い。そして利用客は年齢制限を有する商品を購入する場合に、プリペイドカードを自動販売機に挿入し、該自動販売機がプリペイドカードから解除コードを読み出し、主制御部が解除コードを認識して、上記図３、図４のフローチャートに示す販売動作を行うようにしても良い。
【図面の簡単な説明】
【００３６】
【図１】実施例１の自動販売機の販売制限システムを示す説明図である。
【図２】実施例１の自動販売機の制御系を示すブロック図である。
【図３】実施例１の自動販売機の販売動作を示すフローチャートである。
【図４】実施例１の自動販売機の販売動作を示すフローチャートである。
【図５】実施例２の自動販売機の販売制限システムを示す説明図である。
【図６】実施例２の自動販売機の制御系を示すブロック図である。
【符号の説明】
【００３７】
１  自動販売機
１１  ＱＲコード読取部
１２  キー入力部
１３  主制御部
１８  ＱＲコード読取制御部
２５  組み合わせパターン格納エリア
２８  自動販売機の販売制限システム
３１  自動販売機
４１  赤外通信部
４８  赤外通信読取制御部
５８  自動販売機の販売制限システム
５９  赤外通信部
【図１】
2007087290.tif 000003
【図２】
2007087290.tif 000004
【図３】
2007087290.tif 000005
【図４】
2007087290.tif 000006
【図５】
2007087290.tif 000007
【図６】
2007087290.tif 000008